(57)【要約】【課題】身に付けて寝ているときに布団から出て歩行する際、足の冷えを抑制できるとともに容易に歩行できる衣服を提供する。【解決手段】衣服１０は、本体部１と、袋部材２（袋部材２ａ，２ｂ）とを有する。本体部１は、人の腰から足の拗ねまでの部分を覆う。本体部１は、足部材１ａ，１ｂを有する。足部材１ａは、右足の付根から拗ねまでの部分を覆う。足部材１ｂは、左足の付根から拗ねまでの部分を覆う。袋部材２ａ，２ｂは、それぞれ、連接部１１ａ，１１ｂによって足部材１ａ，１ｂと連接される。袋部材２ａ，２ｂは、それぞれ、右足および左足の拗ねからつま先までを覆う。袋部材２ａ，２ｂは、拗ねからつま先までの足の形状と同一または相似な形状を有する。【選択図】図１
2018119237.tif 000002
【特許請求の範囲】
【請求項１】
足の甲と拗ねとの間の断面形状および足の踵の断面形状と同一または相似な断面形状を少なくとも有し、前記足の踝からつま先までの部分を少なくとも覆う袋部材と、
前記袋部材に連接され、前記袋部材との連接部に対応する足の部分から腰までを覆う本体部とを備える衣服。
【請求項２】
前記連接部は、前記足の踝から膝までの間の位置に設定される、請求項１に記載の衣服。
【請求項３】
前記袋部材は、前記足の裏に対向する部分の外表面に滑り止め部材を有する、請求項１または請求項２に記載の衣服。
【請求項４】
前記袋部材は、伸縮部材からなる、請求項１から請求項３のいずれか１項に記載の衣服。
【請求項５】
前記本体部および前記袋部材の少なくとも一方は、前記足の脹ら脛に対向する部分に前記脹ら脛に向かう方向に突出した複数の突起部材を有する、請求項２から請求項４のいずれか１項に記載の衣服。
【請求項６】
前記袋部材は、前記本体部と一体的に繋がっている、請求項１から請求項５のいずれか１項に記載の衣服。
【請求項７】
前記本体部に連接しており、人の両手および胴体部を覆う上着部を更に備える、請求項１から請求項６のいずれか１項に記載の衣服。
【請求項８】
前記上着部は、前記本体部と一体的に繋がっている、請求項７に記載の衣服。
【発明の詳細な説明】
【技術分野】
【０００１】
この発明は、衣服に関する。
【背景技術】
【０００２】
従来、足部分保温機能性衣類が知られている（特許文献１）。図２１は、特許文献１に記載の足部分保温機能性衣類の側面図である。また、図２２は、特許文献１に記載の足部分保温機能性衣類の使用例を示す図である。
【０００３】
図２１を参照して、特許文献１に記載の足部分保温機能性衣類は、パジャマなど衣服のズボンの裾部１０１において、足先まで覆う長さを有する裾延長部１０４ａに、裾延長部１０４ａの先端部から折り返し部１０３まで角部が弧状を形成する様に取り付けられた開閉可能なファスナー１０２を備える。
【０００４】
そして、歩行時などファスナー１０２は、折り返し部分の角部が弧状を形成する付近でスライダー１０９によって係止される事により垂れ下がりを防止し、裾延長部１０４ｂは、保温性を保つ生地などを用い、リバーシブルにすることが可能で、折り返したときも足首からふくらはぎ付近を覆う（図２２参照）。
【０００５】
また、従来、特許文献２に記載のパジャマが知られている。図２３は、特許文献２に記載のパジャマの正面図である。図２３を参照して、特許文献２に記載のパジャマは、ズボンの裾に付けられた丈の短いニット布を足首からつま先まですっぽりと隠れる程度に丈を長く筒状態にし、先端は、綴じずに細いゴムで縮めて足を自由に出し入れできる構造を有する。
【先行技術文献】
【特許文献】
【０００６】
【特許文献１】特開２００７−２２４４４０号公報
【特許文献２】特開平１０−２９８８０６号公報
【発明の概要】
【発明が解決しようとする課題】
【０００７】
しかし、特許文献１に記載の足部分保温機能性衣類は、歩行時、ファスナー１０２を開いて足先を外に出すので、足部分保温機能性衣類を着て寝ているときにトイレに行く際、足先が冷えるという問題がある。また、特許文献１に記載の足部分保温機能性衣類は、ファスナー１０２を備えるので、ファスナー１０２を閉じた状態で歩行しようとすると、足の裏と家の床面等との間にファスナー１０２が存在し、足の裏が痛くなる。その結果、歩行を容易に行うことが困難になるという問題がある。
【０００８】
また、特許文献２に記載のパジャマは、足首からつま先まですっぽりと覆うニット布を備えるが、このニット布の先端部は、綴じられていないので、寝ているときに布団から出て歩行する際、足先が冷えるという問題がある。
【０００９】
そこで、この発明の実施の形態によれば、身に付けて寝ているときに布団から出て歩行する際、足の冷えを抑制できるとともに容易に歩行できる衣服を提供する。
【課題を解決するための手段】
【００１０】
（構成１）
この発明の実施の形態によれば、衣服は、袋部材と、本体部とを備える。袋部材は、足の甲と拗ねとの間の断面形状および足の踵の断面形状と同一または相似な断面形状を少なくとも有し、足の踝からつま先までの部分を少なくとも覆う。本体部は、袋部材に連接され、袋部材との連接部に対応する足の部分から腰までを覆う。
【００１１】
袋部材は、本体部と連接しており（即ち、本体部と繋がり続いており）、足の踝からつま先までの部分を少なくとも覆うので、衣服を身に付けて寝ているときに、足を動かしても、本体部が捲れ上がることはなく、足が冷えるのを抑制できる。また、袋部材は、足の甲と拗ねとの間の断面形状および足の踵の断面形状と同一または相似な断面形状を有するので、衣服を身に付けて寝ているときに布団から出て歩行する際、衣服を身に付けたままで容易に歩行できる。その結果、布団から出て歩行する際にも、足が冷えるのを抑制できる。
【００１２】
（構成２）
構成１において、連接部は、足の踝から膝までの間の位置に設定される。
【００１３】
連接部が足の踝から膝までの間の位置に設定されるので、袋部材は、足の踝からつま先までの部分を少なくとも覆う。その結果、足の踝からつま先までの部分が外部に露出することがない。
【００１４】
従って、寝ているときに足の踝からつま先までの部分が布団から出ても足の踝からつま先までの部分を保温することができる。その結果、快適に睡眠できる。
【００１５】
（構成３）
構成１または構成２において、袋部材は、足の裏に対向する部分の外表面に滑り止め部材を有する。
【００１６】
衣服を身に付けて歩行しても滑りを抑制して安全に歩行できる。
【００１７】
（構成４）
構成１から構成３のいずれかにおいて、袋部材は、伸縮部材からなる。
【００１８】
袋部材は、足の踝からつま先までの部分に少なくともフィットする。
【００１９】
従って、足の踝からつま先までの部分を更に保温できる。
【００２０】
（構成５）
構成２から構成４のいずれかにおいて、本体部および袋部材の少なくとも一方は、足の脹ら脛に対向する部分に脹ら脛に向かう方向に突出した複数の突起部材を有する。
【００２１】
衣服を身に付けて寝ているとき、脹ら脛を複数の突起部材によって刺激し、脹ら脛をマッサージできる。
【００２２】
従って、衣服を身に付けて寝た翌日、脹ら脛の疲れを回復でき、歩行時の血行を促進できる。
【００２３】
（構成６）
構成１から構成５のいずれかにおいて、袋部材は、本体部と一体的に繋がっている。
【００２４】
本体部が捲れ上がるのが確実に防止される。
【００２５】
従って、衣服を身に付けて寝ているとき、身体を確実に保温できる。
【００２６】
（構成７）
構成１から構成６のいずれかにおいて、衣服は、上着部を更に備える。上着部は、本体部に連接しており（即ち、本体部と繋がり続いており）、人の両手および胴体部を覆う。
【００２７】
上着部は、本体部と繋がり続いているので、人の首および頭部以外の部分を一体的に覆う。
【００２８】
従って、身体を更に保温できる。
【００２９】
（構成８）
構成７において、上着部は、本体部と一体的に繋がっている。
【００３０】
人の首および頭部以外の部分が確実に覆われる。
【００３１】
従って、身体を確実に保温できる。
【発明の効果】
【００３２】
実施の形態による衣服を着て寝ているときに布団から出て歩行する際、足の冷えを抑制できるとともに容易に歩行できる。
【図面の簡単な説明】
【００３３】
【図１】この発明の実施の形態１による衣服の断面図である。
【図２】図１の紙面上において、手前から見た袋部材２ａの断面図である。
【図３】図２に示すＡ方向から見た袋部材２ａの平面図である。
【図４】図１に示す衣服の製法方法を説明するための工程図である。
【図５】袋部材の他の断面図である。
【図６】実施の形態２による衣服の断面図である。
【図７】図６に示す調整部の拡大断面図である。
【図８】図７に示す調整部の機能を説明するための図である。
【図９】実施の形態３による衣服の断面図である。
【図１０】図９に示すＡ方向から見た袋部材の平面図である。
【図１１】図１０に示す線ＸＩ−ＸＩにおける袋部材の断面図である。
【図１２】図９に示すＡ方向から見た袋部材の別の平面図である。
【図１３】図９に示すＡ方向から見た袋部材の別の平面図である。
【図１４】図９に示すＡ方向から見た袋部材の別の平面図である。
【図１５】実施の形態４による衣服の断面図である。
【図１６】図１５に示す足部材のうち、足の脹ら脛に対向する部分の拡大した斜視図である。
【図１７】実施の形態５による衣服の断面図である。
【図１８】実施の形態６による衣服の平面図である。
【図１９】この発明の実施の形態における更に他の袋部材の断面図である。
【図２０】この発明の実施の形態における一般的な袋部材の断面図である。
【図２１】特許文献１に記載の足部分保温機能性衣類の側面図である。
【図２２】特許文献１に記載の足部分保温機能性衣類の使用例を示す図である。
【図２３】特許文献２に記載のパジャマの正面図である。
【発明を実施するための形態】
【００３４】
本発明の実施の形態について図面を参照しながら詳細に説明する。なお、図中同一または相当部分には同一符号を付してその説明は繰返さない。
【００３５】
［実施の形態１］
図１は、この発明の実施の形態１による衣服の断面図である。図１を参照して、この発明の実施の形態１による衣服１０は、本体部１と、袋部材２とを備える。なお、図１においては、理解し易くするために、袋部材２ａ，２ｂは、図１の紙面上、左右方向に開いたように図示されているが、実際には、袋部材２ａ，２ｂは、先端部が図１の紙面の手前側に位置するように配置される。
【００３６】
本体部１は、ズボンの形状を有し、人の腰部から、例えば、足の拗ねまでを覆う。
【００３７】
本体部１は、足部材１ａ，１ｂを有する。足部材１ａは、人の右足の付根から右足の拗ねまでを覆う。足部材１ｂは、人の左足の付根から左足の拗ねまでを覆う。
【００３８】
本体部１は、人の腰部に相当する位置に伸縮部材１２を有する。伸縮部材１２は、本体部１の開口端を締付ける。伸縮部材１２は、例えば、ゴムからなる。
【００３９】
本体部１は、綿、ウール、絹、レーヨン、アクリル、ウレタン、ポリエステル、ナイロンおよびキュプラのいずれかからなる。
【００４０】
本体部１がキュプラからなる場合、本体部１は、薄手の生地からなる。キュプラは、夏季に適しているので、夏季用の衣服１０を製造する場合、本体部１がキュプラからなることが好ましい。また、キュプラは、静電気が発生し難い。従って、衣服１０を快適に身に付けることができる。さらに、キュプラは、他の繊維との結合性が良い。従って、本体部１と袋部材２とを異なる生地で容易に作製できる。
【００４１】
また、本体部１は、伸縮性を有する生地からなっていてもよい。この場合、本体部１の足部材１ａ，１ｂは、人の足の付根から足の拗ねまでの部分に密着し、足の付根から足の拗ねまでの部分を効果的に保温できる。
【００４２】
袋部材２（点線で囲われた部分）は、足の拗ねからつま先までの部分における足の形状と同一または相似な断面形状を有し、足の拗ねからつま先までの部分を覆う。そして、袋部材２は、開閉できない構造を有する。
【００４３】
袋部材２ａは、右足用であり、本体部１の足部材１ａと連接部１１ａで連接する。袋部材２ｂは、左足用であり、本体部１の足部材１ｂと連接部１１ｂで連接する。連接部１１ａ，１１ｂは、足の拗ねに相当する位置に存在する。
【００４４】
袋部材２ａは、連接部１１ａにおいて、足部材１ａの周方向の長さよりも短い周方向の長さを有する。袋部材２ｂは、連接部１１ｂにおいて、足部材１ｂの周方向の長さよりも短い周方向の長さを有する。
【００４５】
袋部材２ａは、右足の拗ねからつま先までの部分における右足の形状と同一または相似な断面形状を有し、右足の拗ねからつま先までの部分を覆う。袋部材２ｂは、左足の拗ねからつま先までの部分における左足の形状と同一または相似な断面形状を有し、左足の拗ねからつま先までの部分を覆う。
【００４６】
袋部材２（２ａ，２ｂ）は、綿、ウール、絹、レーヨン、アクリル、ウレタン、ポリエステル、ナイロンおよびキュプラのいずれかからなる。
【００４７】
袋部材２がキュプラからなる場合、袋部材２は、薄手の生地からなる。キュプラは、夏季に適しているので、夏季用の衣服１０を製造する場合、袋部材２がキュプラからなることが好ましい。また、キュプラは、静電気が発生し難い。従って、衣服１０を身に付けて歩行するときに、袋部材２に静電気が発生するのを抑制できる。さらに、キュプラは、他の繊維との結合性が良い。従って、本体部１と袋部材２とを異なる生地で容易に作製できる。
【００４８】
袋部材２（２ａ，２ｂ）は、伸縮性を有する生地（伸縮部材）からなっていることが好ましい。これによって、袋部材２（２ａ，２ｂ）が足の拗ねからつま先までの部分に密着し、足の拗ねからつま先までの部分を効果的に保温できる。その結果、血流を促進できる。
【００４９】
袋部材２は、本体部１と一体的に繋がっている。そして、袋部材２は、本体部１の生地と同じ生地からなっていてもよく、本体部１の生地と異なる生地からなっていてもよい。
【００５０】
図２は、図１の紙面上において、手前から見た袋部材２ａの断面図である。図２を参照して、袋部材２ａは、足裏部２１と、上面部２２と、垂直部２３とを有する。
【００５１】
足裏部２１は、人の右足８の足裏に対向して設けられる。上面部２２は、右足８のつま先から甲を経由して足首に到るまでの部分に対向して設けられる。垂直部２３は、右足８の踵および足首から拗ねまでの部分に対向して設けられる。
【００５２】
上面部２２は、右足８のつま先で足裏部２１に連接される。垂直部２３は、右足８の踵で足裏部２１に連接されるとともに右足８の足首で上面部２２に連接される。
【００５３】
そして、足裏部２１と垂直部２３との連接部は、右足８の踵の形状に対応した弧状の断面形状を有する。また、上面部２２と垂直部２３との連接部は、右足８の甲と拗ねとの間の形状に対応した形状を有する。
【００５４】
従って、袋部材２ａは、右足８の形状と同一形状または相似な形状である断面形状を有する。
【００５５】
図３は、図２に示すＡ方向から見た袋部材２ａの平面図である。図３を参照して、袋部材２ａの足裏部２１は、人の右足８の足の裏の形状と同一形状または相似な形状である平面形状を有する。
【００５６】
図２および図３において説明したように、袋部材２ａは、右足８の形状と同一形状または相似な形状である断面形状と、右足８の足の裏の形状と同一形状または相似な形状である平面形状とを有する。従って、袋部材２ａは、右足８の拗ねからつま先までの部分における右足の形状と同一または相似な形状を有する。
【００５７】
袋部材２ｂは、人の左足の拗ねからつま先までの部分に対応して、図２および図３において説明した袋部材２ａと同じ構成からなる。その結果、袋部材２ｂは、左足の形状と同一形状または相似な形状である断面形状と、左足の足の裏の形状と同一形状または相似な形状である平面形状とを有する。従って、袋部材２ｂは、左足の拗ねからつま先までの部分における右足の形状と同一または相似な形状を有する。
【００５８】
袋部材２ａ，２ｂがそれぞれ右足および左足の拗ねからつま先までの部分における右足の形状と同一または相似な形状を有するので、袋部材２は、足の拗ねからつま先までの部分における足の形状と同一または相似な形状を有する。
【００５９】
衣服１０の製造方法について説明する。図４は、図１に示す衣服１０の製造方法を説明するための工程図である。
【００６０】
図４を参照して、衣服１０の本体部１および袋部材２を構成する生地Ｓから本体部１および袋部材２の平面形状を有する生地素片１０１を裁断する（工程（ａ）参照）。次に、同様にして、生地Ｓから生地素片１０１と同じ平面形状を有する生地素片１０２を裁断する（工程（ｂ）参照）。
【００６１】
そして、生地素片１０１と生地素片１０２とを重ね合わせ、開口部となる部分ＯＰを除く生地素片１０１，１０２の周囲ＳＲ（太線部分）を縫い合わせる（工程（ｃ）参照）。
【００６２】
引き続いて、縫い合わせた生地素片１０１，１０２の開口端の近傍の周囲に伸縮部材１２を配置し、伸縮部材１２を覆うように生地素片１０３を配置し、生地素片１０１，１０２と生地素片１０３とを縫い合わせる。これによって、衣服１０が製造される（工程（ｄ）参照）。
【００６３】
本体部１の生地と袋部材２の生地とが同じである場合、工程（ａ），（ｂ）において、１つの生地から生地素片１０１，１０２を裁断する。
【００６４】
また、本体部１の生地と袋部材２の生地とが異なる場合、工程（ａ），（ｂ）において、異なる２つの生地が平面方向に接するように製造された生地から、本体部１となる部分と袋部材２となる部分との境界が異なる２つの生地の境界に一致するように、生地素片１０１，１０２を裁断する。
【００６５】
従って、図４に示す製造方法を用いることによって、袋部材２の生地が本体部１の生地と同じであるか異なるかに拘わらず、衣服１０を製造することができる。
【００６６】
なお、衣服１０の製造方法は、図４に示す製造方法に限らず、編んで衣服１０を製造する製造方法であっても良く、一般的には、衣服１０を製造できる製造方法であれば、どのような製造方法であってもよい。編んで衣服１０を製造する場合において、本体部１の生地と袋部材２の生地とが異なる場合、本体部１と袋部材２との境界において、本体部１の生地を構成する糸と、袋部材２の生地を構成する糸とを繋ぎ合わせることにとって、本体部１と袋部材２とを連続して編むことができる。
【００６７】
人が衣服１０を身に付けるとき、足の拗ねから足先までの部分は、袋部材２ａ，２ｂに挿入され、足の付け根から拗ねまでは、足部材１ａ，１ｂに挿入される。そして、人の腰部は、伸縮部材１２によって締められる。
【００６８】
袋部材２は、本体部１と一体的に繋がっており、拗ねからつま先までの部分を覆っているので、衣服１０を身に付けて寝ているときに、足を動かしても、足部材１ａ，１ｂが捲れ上がることはなく、足が冷えるのを抑制できる。また、足を動かして足先が布団から出ても足が冷えるのを抑制できる。更に、袋部材２は、足の拗ねからつま先までの部分における足の形状と同一または相似な断面形状を有するので、衣服１０を身に付けて寝ているときに布団から出て歩行する際、衣服１０を身に付けたままで容易に歩行できる。
【００６９】
従って、布団から出て歩行する際にも、足が冷えるのを抑制できる。また、足が冷えるのを抑制できるので、血流が良くなり、足を保温できる。その結果、快適に睡眠できる。
【００７０】
更に、拗ねからつま先までの部分が袋部材２によって覆われているので、夏季に汗をかいても、布団が汚れるのを防止できる。
【００７１】
更に、袋部材２は、足の拗ねからつま先までの部分における足の形状と同一または相似な断面形状を有するので、身体的な障害を有する人も、足を袋部材２に挿入し易く、容易に衣服１０を身に付けることができる。
【００７２】
図５は、袋部材２ａの他の断面図である。図５を参照して、袋部材２ａは、形状部材２４，２５を更に備えていてもよい。
【００７３】
形状部材２４は、袋部材２ａの上面部２２と垂直部２３との連接部に対向して、上面部２２の内側と垂直部２３の内側とに設けられる。そして、形状部材２４は、上面部２２と垂直部２３との連接部における袋部材２ａの断面形状を右足８の甲と拗ねとの間の断面形状に維持する。
【００７４】
形状部材２５は、袋部材２ａの足裏部２１と垂直部２３との連接部に対向して、足裏部２１の内側と垂直部２３の内側とに設けられる。そして、形状部材２５は、足裏部２１と垂直部２３との連接部における袋部材２ａの断面形状を右足の踵の断面形状に維持する。
【００７５】
このように、形状部材２４，２５を設けることによって、右足８を袋部材２ａに容易に挿入することができる。
【００７６】
なお、袋部材２ｂも、形状部材２４，２５を更に備えていてもよい。これによって、左足を袋部材２ｂに容易に挿入することができる。
【００７７】
袋部材２ａ，２ｂが形状部材２４，２５を備える場合、形状部材２４，２５は、保温性を有する生地からなることが好ましい。これによって、足の踵および足首の冷えを抑制し、血流を促進できる。
【００７８】
また、形状部材２５は、弾性体によって作製されていてもよい。これによって、衣服１０を身に付けて歩行するときの下地からの衝撃を緩和できる。その結果、衣服１０を身に付けたときに、更に容易に歩行することができる。
【００７９】
袋部材２ａ，２ｂは、形状部材２４，２５のうちのいずれか一方だけを備えていてもよい。形状部材２４，２５のうちのいずれか一方だけを備えていれば、足の踵からつま先までの部分を袋部材２ａ，２ｂに挿入し易くなり、衣服１０を容易に身に付けることができるからである。
【００８０】
更に、袋部材２ａ，２ｂのうちのいずれか一方だけが形状部材２４および／または形状部材２５を備えていてもよい。
【００８１】
この場合、衣服１０を身に付ける人の身体的な障害によって、挿入し難い足に対応した袋部材（袋部材２ａ，２ｂのいずれか）が形状部材２４および／または形状部材２５を備えるようにしてもよい。
【００８２】
これによって、身体に障害を有する人も、衣服１０を更に容易に身に付けることができる。
【００８３】
衣服１０は、人が寝るときに身に付ける寝具として用いられてもよく、デザインを工夫することによって、部屋着および作業着等として用いられてもよい。特に、寒冷地に住む人にとっては、寝ているときに限らず、日中でも、衣服１０を身に付けることによって、足の冷えを抑制できる。
【００８４】
上記においては、連接部１１（１１ａ，１１ｂ）は、足の拗ねの部分に位置すると説明したが、実施の形態１においては、これに限らず、連接部１１（１１ａ，１１ｂ）は、足の踝から膝までの間の任意の部分に位置すればよい。
【００８５】
連接部１１（１１ａ，１１ｂ）が足の踝の部分に存在する場合、袋部材２は、足の踝からつま先までの部分を覆い、本体部１は、腰部から足の踝までの部分を覆う。従って、この場合、袋部材２は、足の踝からつま先までの部分における足の形状と同一または相似な断面形状をする。
【００８６】
また、連接部１１（１１ａ，１１ｂ）が足の膝の部分に存在する場合、袋部材２は、足の膝からつま先までの部分を覆い、本体部１は、腰部から足の膝までの部分を覆う。従って、この場合、袋部材２は、足の膝からつま先までの部分における足の形状と同一または相似な断面形状をする。そして、袋部材２が伸縮性を有する生地から作製されている場合、足の脹ら脛をマッサージでき、第２の心臓と言われる脹ら脛によって血流を更に促進できる。
【００８７】
更に、連接部１１（１１ａ，１１ｂ）が足の踝と膝との間の部分に存在する場合、袋部材２は、足の踝と膝との間の部分からつま先までを覆い、本体部１は、腰部から、足の踝と膝との間の部分までを覆う。従って、この場合、袋部材２は、足の踝と膝との間の部分からつま先までの部分における足の形状と同一または相似な断面形状をする。
【００８８】
このように、連接部１１（１１ａ，１１ｂ）の位置によって、袋部材２は、各種の形状を有するが、実施の形態１においては、袋部材２は、一般的には、足の踝からつま先までの部分における足の形状と同一または相似な断面形状を少なくとも有し、足の踝からつま先までの部分を少なくとも覆えばよい。
【００８９】
これによって、衣服１０を身に付けた人は、上述したように、足の冷えを抑制できるとともに衣服１０を身に付けたままで容易に歩行できる。
【００９０】
更に、衣服１０においては、袋部材２は、足の形状と同一形状または相似な形状である断面形状（図２に示す断面形状）と、足の裏の形状と同一形状または相似な形状である平面形状（図３に示す平面形状）との少なくとも一方の形状を有していればよい。
【００９１】
袋部材２が図２に示す断面形状のみを有している場合、袋部材２のうち、足の裏に対向する部分は、ほぼ平坦であるので、衣服１０を身に付けた状態でも容易に歩行でき、足の踝からつま先までの部分を覆うので、足の踝からつま先までの部分を保温できる。
【００９２】
また、袋部材２が図３に示す平面形状のみを有している場合、袋部材２は、足の踝からつま先までの部分に、ほぼ密着するので、衣服１０を身に付けた状態でも容易に歩行できるとともに足の踝からつま先までの部分を保温できる。
【００９３】
従って、袋部材２は、図２に示す断面形状と、図３に示す平面形状との少なくとも一方の形状を有していればよい。
【００９４】
［実施の形態２］
図６は、実施の形態２による衣服の断面図である。図６を参照して、実施の形態２による衣服３０は、図１に示す衣服１０の本体部１を本体部３１に代えたものであり、その他は、衣服１０と同じである。
【００９５】
本体部３１は、足部材３１ａ，３１ｂを有する。足部材３１ａは、人の右足の付根から右足の拗ね（連接部１１ａが存在する部分）までを覆う。足部材３１ｂは、人の左足の付根から左足の拗ね（連接部１１ｂが存在する部分）までを覆う。
【００９６】
そして、足部材３１ａは、袋部材２ａと連接部１１ａで連接する。足部材３１ｂは、袋部材２ｂと連接部１１ｂで連接する。
【００９７】
足部材３１ａは、調整部３１１ａを有し、足部材３１ｂは、調整部３１１ｂを有する。調整部３１１ａは、右足の長さ方向に伸縮する。調整部３１１ｂは、左足の長さ方向に伸縮する。
【００９８】
図７は、図６に示す調整部３１１ａの拡大断面図である。図７を参照して、調整部３１１ａは、複数の輪部材３１１−１と、複数の輪部材３１１−２と、生地３１１−３とを有する。
【００９９】
複数の輪部材３１１−１の各々は、概略、リング形状を有し、例えば、金属、プラスチックおよび木材等からなる。
【０１００】
複数の輪部材３１１−２の各々も、概略、リング形状を有し、例えば、金属、プラスチックおよび木材等からなる。
【０１０１】
輪部材３１１−１，３１１−２において、リング形状は、円形であっても良く、楕円形であっても良く、五角形以上の多角形であっても良い。
【０１０２】
そして、複数の輪部材３１１−１および複数の輪部材３１１−２の各々における断面形状（リング形状の周方向に垂直な断面の形状）は、例えば、円形であり、直径は、例えば、１ｍｍ〜２ｍｍである。
【０１０３】
足部材３１ａの幅方向（足の長さ方向に直交する方向）における断面形状が円形であると仮定した場合において、輪部材３１１−１，３１１−２の各々におけるリング形状が円形である場合、輪部材３１１−１は、調整部３１１ａ以外の足部材３１ａの直径Ｒ１（外径）よりも大きい直径Ｒ２（内径）を有し、輪部材３１１−２は、調整部３１１ａ以外の足部材３１ａの直径Ｒ１（外径）とほぼ同じ直径（内径）を有する。
【０１０４】
足部材３１ａの幅方向（足の長さ方向に直交する方向）における断面形状が楕円形であると仮定した場合において、輪部材３１１−１，３１１−２の各々におけるリング形状が楕円形である場合、輪部材３１１−１は、足部材３１ａの長径Ｒ３（外径）よりも大きい長径Ｒ４を有し、輪部材３１１−２は、足部材３１ａの長径Ｒ３（外径）とほぼ同じ長径（内径）を有する。
【０１０５】
複数の輪部材３１１−１は、足の長さ方向（図７の紙面上、上下方向）において、複数の輪部材３１１−２と交互に配置される。
【０１０６】
生地３１１−３は、足の長さ方向（図７の紙面上、上下方向）において、波形状またはジグザグ形状を有し、複数の輪部材３１１−１および複数の輪部材３１１−２に固定される。
【０１０７】
図８は、図７に示す調整部３１１ａの機能を説明するための図である。図８の（ａ）は、調整部３１１ａが最も縮んだ状態を示し、図８の（ｂ）は、調整部３１１ａが最も伸びた状態を示す。
【０１０８】
図８を参照して、調整部３１１ａが最も縮んだとき、足の長さ方向（図８の紙面上、上下方向）における輪部材３１１−１の位置は、輪部材３１１−２の位置にほぼ隣接する（図８の（ａ）参照）。
【０１０９】
一方、調整部３１１ａが最も伸びたとき、足の長さ方向（図８の紙面上、上下方向）における輪部材３１１−１と輪部材３１１−２との間隔は、例えば、２ｃｍ〜５ｃｍである。
【０１１０】
このように、調整部３１１ａは、足の長さ方向（図８の紙面上、上下方向）に伸縮する。
【０１１１】
なお、図６に示す調整部３１１ｂは、図７および図８に示す調整部３１１ａと同じ構造を有し、足の長さ方向（図８の紙面上、上下方向）に伸縮する。
【０１１２】
その結果は、足部材３１ａ，３１ｂは、足の長さ方向（図６の紙面上、上下方向）において調整部３１１ａ，３１１ｂによって長さを調整可能である。
【０１１３】
このように、足部材３１ａ，３１ｂは、調整部３１ａ，３１ｂを有するので、足の長さが異なる複数の人が衣服３０を身に付けることができる。
【０１１４】
衣服３０は、図４に示す製造方法の工程（ｃ）と工程（ｄ）との間に、輪部材３１１−２，３１１−２を足の長さ方向に交互に配置し、生地３１１−３を輪部材３１１−２，３１１−２に固定する工程を追加した製造方法に従って製造される。この場合、図４の工程（ａ），（ｂ）において、調整部３１１ａ，３１１ｂとなる部分がジグザグ形状または波形状を有するように生地素片１０１，１０２が裁断される。
【０１１５】
なお、実施の形態２による衣服は、本体部３１の調整部３１１に代えて、連接部１１が足の踝から膝までの間のいずれかの位置に存在するように袋部材２の長さを調整する調整部を袋部材２に設けたものであってもよい。
【０１１６】
また、実施の形態２による衣服は、本体部３１の調整部３１１に追加して、連接部１１が足の踝から膝までの間のいずれかの位置に存在するように袋部材２の長さを調整する調整部を袋部材２に設けたものであってもよい。
【０１１７】
更に、調整部３１１ａ，３１１ｂは、図７および図８において説明した形状に限らず、図６の紙面上、足部材３１ａ，３１ｂの長さを上下方向に調整できる構造であれば、どのような構造を有していてもよい。また、袋部材２ａ，２ｂが、図６の紙面上、上下方向に長さを調整する調整部を有する場合も、同様に、袋部材２ａ，２ｂの調整部は、図６の紙面上、袋部材２ａ，２ｂの長さを上下方向に調整できる構造であれば、どのような構造を有していてもよい。
【０１１８】
本体部３１についてのその他の説明は、本体部１についての説明と同じである。
【０１１９】
実施の形態２におけるその他の説明は、実施の形態１における説明と同じである。
【０１２０】
［実施の形態３］
図９は、実施の形態３による衣服の断面図である。図９を参照して、実施の形態３による衣服４０は、図１に示す衣服１０の袋部材２を袋部材４に代えたものであり、その他は、衣服１０と同じである。
【０１２１】
袋部材４は、袋部材２に滑り止め部材４１を追加したものであり、その他は、袋部材２と同じである。
【０１２２】
滑り止め部材４１ａは、袋部材４ａの足の裏に対向する部分の外表面に設けられる。そして、滑り止め部材４１ａは、足の踵からつま先までの領域に配置される。
【０１２３】
滑り止め部材４１ｂは、袋部材４ｂの足の裏に対向する部分の外表面に設けられる。そして、滑り止め部材４１ｂは、滑り止め部材４１ａと同じように袋部材４ｂに配置される。
【０１２４】
滑り止め部材４１ａ，４１ｂの各々は、弾性体からなり、例えば、ゴムおよび発泡スチロールからなる。
【０１２５】
袋部材４ａ，４ｂは、それぞれ、本体部１の足部材１ａ，１ｂと連接部１１ａ，１１ｂで連接する。
【０１２６】
図１０は、図９に示すＡ方向から見た袋部材４ａの平面図である。図１０を参照して、袋部材４ａは、足の裏に対向する部分の外表面に滑り止め部材４１ａを有する。
【０１２７】
滑り止め部材４１ａは、複数の直線部材４１１ａを有する。図１０においては、例えば、１２個の直線部材４１１ａが図示されている。
【０１２８】
複数の直線部材４１１ａは、例えば、５ｍｍ〜１０ｍｍの間隔ＧＰ１で足の踵からつま先へ向かう方向に沿って配置される。
【０１２９】
複数の直線部材４１１ａの各々は、例えば、２ｍｍ〜３ｍｍの幅Ｗ１（足の踵からつま先へ向かう方向における長さ）を有し、例えば、３ｃｍ〜５ｃｍの長さＬ１（足の幅方向における長さ）を有する。
【０１３０】
複数の直線部材４１１ａの各々は、例えば、弾性体からなる。弾性体は、例えば、ゴムおよび発泡スチロール等からなる。
【０１３１】
図１１は、図１０に示す線ＸＩ−ＸＩにおける袋部材４ａの断面図である。図１１を参照して、滑り止め部材４１ａの直線部材４１１ａは、例えば、２ｍｍ〜３ｍｍの高さＨ１を有し、袋部材４ａから高さＨ１だけ突出している。
【０１３２】
なお、袋部材４ｂは、図１０および図１１において説明した滑り止め部材４１ａと同じ構造および寸法を有する滑り止め部材４１ｂを足の裏に対向する部分の外表面に有する。
【０１３３】
このように、衣服４０においては、袋部材４ａ，４ｂは、それぞれ、滑り止め部材４１ａ，４１ｂを有するので、衣服４０を身に付けた人は、滑りを抑制して衣服１０を身に付けた場合よりも安全に歩行できる。
【０１３４】
図１２は、図９に示すＡ方向から見た袋部材４ａの別の平面図である。図１２を参照して、領域ＲＥＧ１における直線部材４１１ａの間隔ＧＰ２は、領域ＲＥＧ３における直線部材４１１ａの間隔ＧＰ４よりも狭くし、領域ＲＥＧ２における直線部材４１１ａの間隔ＧＰ３は、領域ＲＥＧ３における直線部材４１１ａの間隔ＧＰ４よりも狭くしてもよい。
【０１３５】
間隔ＧＰ２，ＧＰ３は、例えば、１ｍｍ〜４ｍｍである。
【０１３６】
領域ＲＥＧ１は、足の裏の土踏まずよりもつま先側の領域であり、領域ＲＥＧ２は、土踏まずよりも踵側の領域であり、領域ＲＥＧ３は、土踏まずの領域である。
【０１３７】
人が歩行するとき、足の裏の土踏まずよりもつま先側の領域および／または土踏まずよりも踵側の領域に力が印加されるので、領域ＲＥＧ１および／または領域ＲＥＧ２における直線部材４１１ａの間隔ＧＰ２，ＧＰ３を領域ＲＥＧ３における直線部材４１１ａの間隔ＧＰ４よりも狭くすることによって、歩行するときの滑りを更に抑制できる。
【０１３８】
なお、間隔ＧＰ２は、間隔ＧＰ３と同じであってもよく、間隔ＧＰ３と異なっていてもよい。つまり、間隔ＧＰ２，ＧＰ３は、間隔ＧＰ４よりも狭い範囲において、同じ間隔または異なる間隔に設定される。
【０１３９】
また、実施の形態３においては、領域ＲＥＧ１における直線部材４１１ａの間隔ＧＰ２は、つま先に近づくに従って徐々に狭くなるように設定されてもよく、領域ＲＥＧ２における直線部材４１１ａの間隔ＧＰ３は、踵に近づくに従って徐々に狭くなるように設定されてもよい。この場合、領域ＲＥＧ１における直線部材４１１ａの間隔ＧＰ２だけをつま先に近づくに従って徐々に狭くなるように設定してもよく、領域ＲＥＧ２における直線部材４１１ａの間隔ＧＰ３だけを踵に近づくに従って徐々に狭くなるように設定してもよい。
【０１４０】
これによって、歩行するときにより強い力が印加される領域における直線部材４１１ａの間隔を狭くでき、滑りを更に抑制できる。
【０１４１】
更に、実施の形態３においては、間隔ＧＰ２だけを間隔ＧＰ４よりも狭くし、間隔ＧＰ３を間隔ＧＰ４と同程度に設定してもよく、間隔ＧＰ３だけを間隔ＧＰ４よりも狭くし、間隔ＧＰ２を間隔ＧＰ４と同程度に設定してもよい。つまり、間隔ＧＰ２，ＧＰ３の少なくとも１つが間隔ＧＰ４よりも狭く設定されていればよい。間隔ＧＰ２，ＧＰ３の少なくとも１つが間隔ＧＰ４よりも狭く設定されていれば、間隔ＧＰ２〜ＧＰ４の全てが同程度である場合よりも歩行するときの滑りを抑制できるからである。
【０１４２】
なお、滑り止め部材４１ｂの複数の直線部材の間隔も、図１２において説明したように設定される。
【０１４３】
また、領域ＲＥＧ３における直線部材４１１ａは、無くてもよい。
【０１４４】
図１３は、図９に示すＡ方向から見た袋部材４ａの別の平面図である。図１３を参照して、滑り止め部材４１ａは、複数の線部材４１１ｃを有する。複数の線部材４１１ｃの各々は、足の幅方向においてジグザク形状を有する。
【０１４５】
複数の線部材４１１ｃの各々は、例えば、１ｍｍ〜２ｍｍの幅を有する。線部材４１１ｃにおいて、ジグザグ形状の頂点から頂点までの幅Ｗ２は、例えば、３ｍｍ〜５ｍｍに設定される。また、複数の線部材４１１ｃの間隔ＧＰ５は、上述した間隔ＧＰ１と同じに設定される。更に、線部材４１１ｃは、袋部材４ａの表面から高さＨ１（図１１参照）だけ突出している。
【０１４６】
滑り止め部材４１ａが線部材４１１ｃからなる場合も、領域ＲＥＧ１〜領域ＲＥＧ３が設定され、図１２において説明したように領域ＲＥＧ１〜ＲＥＧ３における間隔ＧＰ２〜ＧＰ４が設定されてもよい。また、領域ＲＥＧ３における線部材４１１ｃは、無くてもよい。
【０１４７】
なお、線部材４１１ｃは、ジグザグ形状に限らず、波形状を有していてもよい。
【０１４８】
また、袋部材４ｂも、図１３に示す滑り止め部材４１ａと同じ構成からなる滑り止め部材４１ｂを有する。
【０１４９】
図１４は、図９に示すＡ方向から見た袋部材４ａの別の平面図である。図１４を参照して、滑り止め部材４１ａは、複数の円形部材４１１ｄを有する。複数の円形部材４１１ｄの各々は、ドーナツ形状の平面形状を有する。複数の円形部材４１１ｄの各々は、円形の平面形状または楕円の平面形状を有する。複数の円形部材４１１ｄの各々は、円形の平面形状を有する場合、例えば、５ｍｍ〜１０ｍｍの直径（外径）を有し、楕円の平面形状を有する場合、例えば、７ｍｍ〜１２ｍｍの長径および３ｍｍ〜６ｍｍの短径を有する。
【０１５０】
円形部材４１１ｄは、袋部材４ａの表面から高さＨ１（図１１参照）だけ突出している。
【０１５１】
複数の円形部材４１１ｄは、碁盤目状に配置されてもよく、ランダムに配置されてもよい。
【０１５２】
複数の円形部材４１１ｄの各々は、ドーナツ形状に限らず、円盤形状を有していてもよい。
【０１５３】
滑り止め部材４１ａが円形部材４１１ｄからなる場合も、領域ＲＥＧ１〜領域ＲＥＧ３が設定される。そして、領域ＲＥＧ１，ＲＥＧ２に配置される円形部材４１１ｄの直径は、領域ＲＥＧ３に配置される円形部材４１１ｄの直径よりも小さく設定される。また、領域ＲＥＧ１における円形部材４１１ｄの直径は、足のつま先に近づくに従って徐々に小さくなるように設定されてもよく、領域ＲＥＧ２における円形部材４１１ｄの直径は、足の踵に近づくに従って徐々に小さくなるように設定されてもよい。これにより、歩行時に力が印加される部分における滑りを抑制でき、安定して歩行できる。また、領域ＲＥＧ３における円形部材４１１ｄは、無くてもよい。
【０１５４】
なお、袋部材４ｂも、図１４に示す滑り止め部材４１ａと同じ構成からなる滑り止め部材４１ｂを有する。
【０１５５】
実施の形態３においては、袋部材４ａ，４ｂは、三角形、四角形および五角形等の多角形の平面形状を有する複数の角形部材からなる滑り止め部材４１ａ，４１ｂを有していてもよい。この場合、複数の角形部材の各々は、碁盤目状に配置されてもよいし、ランダムに配置されてもよい。また、複数の角形部材の各々は、袋部材４ａ，４ｂの表面から高さＨ１（図１１参照）だけ突出している。更に、複数の角形部材の各々は、例えば、５ｍｍ〜１０ｍｍの直径を有する円に内接するサイズを有する。
【０１５６】
滑り止め部材４１ａ，４１ｂが複数の角形部材からなる場合も、領域ＲＥＧ１〜ＲＥＧ３が設定される。そして、領域ＲＥＧ１，ＲＥＧ２における角形部材のサイズは、領域ＲＥＧ３における角形部材のサイズよりも小さくなるように設定される。また、領域ＲＥＧ１における角形部材のサイズは、足のつま先に近づくに従って徐々に小さくなるように設定されてもよく、領域ＲＥＧ２における角形部材のサイズは、足の踵に近づくに従って徐々に小さくなるように設定されてもよい。これによって、歩行時に力が印加される領域における滑りを抑制でき、安定して歩行できる。また、領域ＲＥＧ３における角形部材は、無くてもよい。
【０１５７】
滑り止め部材４１ａ，４１ｂが複数の角形部材からなる場合、滑り止め部材４１ａ，４１ｂは、角数が異なる多角形が混在した角形部材からなっていてもよい。
【０１５８】
衣服４０は、図４に示す工程（ａ）〜工程（ｄ）に、工程（ｄ）の後、袋部材４に滑り止め部材４１を固定する工程を追加した工程図に従って製造される。この場合、滑り止め部材４１は、例えば、接着剤によって袋部材４に固定される。
【０１５９】
なお、実施の形態３による衣服は、図６に示す衣服３０の袋部材２（２ａ，２ｂ）を袋部材４（４ａ，４ｂ）に代えたものであってもよい。
【０１６０】
実施の形態３におけるその他の説明は、実施の形態１，２における説明と同じである。
【０１６１】
［実施の形態４］
図１５は、実施の形態４による衣服の断面図である。図１５を参照して、実施の形態４による衣服５０は、図１に示す衣服１０の本体部１を本体部５１に代えたものであり、その他は、衣服１０と同じである。
【０１６２】
本体部５１は、図１に示す本体部１の足部材１ａ，１ｂを足部材５１ａ，５１ｂに代えたものであり、その他は、本体部１と同じである。
【０１６３】
足部材５１ａは、右足の付根から拗ねまでの領域を覆う。足部材５１ｂは、左足の付根から拗ねまでの領域を覆う。
【０１６４】
図１６は、図１５に示す足部材５１ａのうち、足の脹ら脛に対向する部分の拡大した斜視図である。
【０１６５】
図１６を参照して、足部材５１ａは、足の脹ら脛に対向する部分に複数の突起部材５１１ａを有する。
【０１６６】
複数の突起部材５１１ａの各々は、弾性体からなる。弾性体は、ゴム等である。そして、複数の突起部材５１１ａの各々は、足の脹ら脛に対向して足部材５１ａの内側に配置される。そして、複数の突起部材５１１ａの各々は、足部材５１ａの内側から足の脹ら脛に向かう方向に突出している。複数の突起部材５１１ａは、碁盤目状に配置されてもよく、ランダムに配置されてもよい。
【０１６７】
複数の突起部材５１１ａの各々は、円柱形状を有し、例えば、２ｍｍ〜３ｍｍの直径を有し、２ｍｍ〜５ｍｍの高さを有する。複数の突起部材５１１ａの各々は、好ましくは、足の脹ら脛側の先端部が円弧状の断面形状を有する。これによって、突起部材５１１ａが脹ら脛に押し付けられる場合、脹ら脛が痛くなるのを抑制できる。
【０１６８】
足部材５１ｂも、足の脹ら脛に対向する部分に図１６に示す複数の突起部材５１１ａを有する。
【０１６９】
衣服５０を身に付けて上向きに寝ているとき、両足の脹ら脛は、複数の突起部材５１１ａに押し付けられる。その結果、脹ら脛は、複数の突起部材５１１ａによって押され、ほぐされる。
【０１７０】
従って、衣服５０を身に付けて寝ることによって、翌日、脹ら脛の疲れが解消され、歩行時に血行を促進できる。
【０１７１】
なお、足部材５１ａ，５１ｂが伸縮性を有する生地からなる場合、上向きに寝ていない場合でも、両足の脹ら脛は、複数の突起部材５１１ａに押し付けられる。その結果、衣服５０を身に付けているときは、常時、両足の脹ら脛がほぐされる。
【０１７２】
従って、衣服５０を身に付けているときは、常時、血行を促進できる。
【０１７３】
なお、実施の形態４においては、複数の突起部材５１１ａは、足部材５１ａ，５１ｂに代えて袋部材２ａ，２ｂの内側に配置されてもよい。この場合、連接部１１ａ，１１ｂは、足の膝の位置にある。そして、袋部材２ａ，２ｂは、伸縮性の材料によって作製されていることが好ましい。袋部材２ａ，２ｂが伸縮性を有する生地からなる場合、上向きに寝ていない場合でも、両足の脹ら脛は、複数の突起部材５１１ａに押し付けられる。その結果、衣服５０を身に付けているときは、常時、両足の脹ら脛がほぐされる。
【０１７４】
従って、衣服５０を身に付けているときは、常時、血行を促進できる。
【０１７５】
また、実施の形態４においては、複数の突起部材５１１ａは、足部材５１ａ，５１ｂおよび袋部材２ａ，２ｂの両方に配置されていてもよい。
【０１７６】
即ち、実施の形態４においては、複数の突起部材５１１ａは、足部材５１ａ，５１ｂおよび袋部材２ａ，２ｂの少なくとも一方に配置されていればよい。
【０１７７】
複数の突起部材５１１ａが足部材５１ａ，５１ｂおよび袋部材２ａ，２ｂの少なくとも一方に配置されていれば、連接部１１ａ，１１ｂは、足の踝から膝までの間に位置するので、脹ら脛は、足部材５１ａ，５１ｂおよび袋部材２ａ，２ｂの少なくとも一方に配置された複数の突起部材５１１ａに押し付けられ、ほぐされるからである。
【０１７８】
なお、実施の形態４による衣服は、衣服３０の足部材３１ａ，３１ｂおよび袋部材２ａ，２ｂの少なくとも一方に複数の突起部材５１１ａを追加したものであってもよく、衣服４０の足部材１ａ，１ｂおよび袋部材４ａ，４ｂの少なくとも一方に複数の突起部材５１１ａを追加したものであってもよい。
【０１７９】
衣服５０は、図４に示す工程（ｂ）と工程（ｃ）との間に、複数の突起部材５１１ａを脹ら脛に対向するように足部材５１ａ，５１ｂとなる部分および袋部材２ａ，２ｂとなる部分の少なくとも一方に配置する工程を追加した工程図に従って製造される。
【０１８０】
実施の形態４におけるその他の説明は、実施の形態１から実施の形態３における説明と同じである。
【０１８１】
［実施の形態５］
図１７は、実施の形態５による衣服の断面図である。図１７を参照して、実施の形態５による衣服６０は、本体部６１と、袋部材６２とを備える。
【０１８２】
本体部６１は、足部材６１ａ，６１ｂを有する。足部材６１ａは、右足の付根から拗ねまでの部分を覆う。そして、足部材６１ａは、伸縮部材１２が装着された側と反対側の先端部が開口しており、開口端に連結部材６１１ａを有する。
【０１８３】
足部材６１ｂは、左足の付根から拗ねまでの部分を覆う。そして、足部材６１ｂは、伸縮部材１２が装着された側と反対側の先端部が開口しており、開口端に連結部材６１１ｂを有する。
【０１８４】
足部材６１ａ，６１ｂにおけるその他の構成は、上述した足部材１ａ，１ｂの構成と同じである。
【０１８５】
袋部材６２ａは、足のつま先と反対側の先端部が開口しており、開口端に連結部材６２１ａを有する。袋部材６２ｂは、足のつま先と反対側の先端部が開口しており、開口端に連結部材６２１ｂを有する。
【０１８６】
袋部材６２ａ，６２ｂにおけるその他の構成は、上述した袋部材２ａ，２ｂの構成と同じである。
【０１８７】
袋部材６２ａの連結部材６２１ａは、足部材６１ａの連結部材６１１ａに連結され、袋部材６２ｂの連結部材６２１ｂは、足部材６１ｂの連結部材６１１ｂに連結される。
【０１８８】
連結部材６１１ａと連結部材６２１ａとの連結、および連結部材６１１ｂと連結部材６２１ｂとの連結は、面ファスナー、チャックおよびボタン等によってなされる。
【０１８９】
連結部材６１１ａと連結部材６２１ａとの連結、および連結部材６１１ｂと連結部材６２１ｂとの連結が面ファスナーによってなされる場合、連結部材６１１ａを構成する面ファスナーは、足部材６１ａの開口端の内周に沿って配置され、連結部材６１１ｂを構成する面ファスナーは、足部材６１ｂの開口端の内周に沿って配置され、袋部材６２ａの連結部材６２１ａは、袋部材６２ａの開口端の外周に沿って配置され、袋部材６２ｂの連結部材６２１ｂは、袋部材６２ｂの開口端の外周に沿って配置される。
【０１９０】
また、連結部材６１１ａと連結部材６２１ａとの連結、および連結部材６１１ｂと連結部材６２１ｂとの連結がチャックによってなされる場合、連結部材６１１ａと連結部材６２１ａとで１つのチャックを構成するように、連結部材６１１ａが足部材６１ａの開口端の内周に沿って配置され、連結部材６２１ａが袋部材６２ａの開口端の外周に沿って配置され、連結部材６１１ｂと連結部材６２１ｂとで１つのチャックを構成するように、連結部材６１１ｂが足部材６１ｂの開口端の内周に沿って配置され、連結部材６２１ｂが袋部材６２ｂの開口端の外周に沿って配置される。
【０１９１】
更に、連結部材６１１ａと連結部材６２１ａとの連結、および連結部材６１１ｂと連結部材６２１ｂとの連結がボタンによってなされる場合、足部材６１ａ，６１ｂの開口端の円周に沿って複数の孔が形成され、袋部材６２ａ，６２ｂの開口端の円周に沿って複数のボタンが取り付けられる。
【０１９２】
このように、袋部材６２ａ，６２ｂは、それぞれ、足部材６１ａ，６１ｂに連結されて足部材６１ａ，６１ｂと一体的に使用される。
【０１９３】
従って、衣服６０は、上述した衣服１０と同じ効果を享受できる。
【０１９４】
衣服６０は、図４に示す工程（ａ）において、本体部６１の平面形状を有する生地素片と、袋部材６２ａ，６２ｂの平面形状を有する生地素片とを裁断し、図４に示す工程（ｂ）において、本体部６１の平面形状を有する別の生地素片と、袋部材６２ａ，６２ｂの平面形状を有する別の生地素片とを裁断し、図４に示す工程（ｃ）において、裁断した２つの生地素片（本体部６１となる生地素片）を重ね合わせて周囲を縫い合わせ、裁断した２つの生地素片（袋部材６２ａ，６２ｂとなる生地素片）を重ね合わせて周囲を縫い合わせ、その後、連結部材６１１ａ，６１１ｂおよび連結部材６２１ａ，６２１ｂをそれぞれ縫い合わせた生地素片（本体部６１）および縫い合わせた生地素片（袋部材６２ａ，６２ｂ）の開口端に取り付け、その後、図４に示す工程（ｄ）を実行する工程図に従って製造される。
【０１９５】
なお、実施の形態５による衣服は、上述した衣服３０の足部材３１ａ，３１ｂと袋部材２ａ，２ｂとを、それぞれ、図１７に示す足部材６１ａ，６１ｂおよび袋部材６２ａ，６２ｂと同じように変更したものであってもよく、上述した衣服４０の足部材１ａ，１ｂと袋部材４ａ，４ｂとを、それぞれ、図１７に示す足部材６１ａ，６１ｂおよび袋部材６２ａ，６２ｂと同じように変更したものであってもよく、上述した衣服５０の足部材５１ａ，５１ｂと袋部材２ａ，２ｂとを、それぞれ、図１７に示す足部材６１ａ，６１ｂおよび袋部材６２ａ，６２ｂと同じように変更したものであってもよい。
【０１９６】
このように変更した衣服においても、上述した衣服３０，４０．５０と同じ効果を享受できる。
【０１９７】
実施の形態５におけるその他の説明は、実施の形態１から実施の形態４における説明と同じである。
【０１９８】
［実施の形態６］
図１８は、実施の形態６による衣服の平面図である。図１８を参照して、実施の形態６による衣服７０は、図１に示す衣服１０に上着部７１を追加したものであり、その他は、衣服１０と同じである。
【０１９９】
上着部７１は、人の両手（掌を除く。以下、同じ。）および胴体部を覆う。そして、上着部７１は、本体部１と一体的に繋がっている。
【０２００】
上着部７１は、本体部１と同じ材料からなる。
【０２０１】
上着部７１は、複数のボタン７１１を有する。複数のボタン７１１は、所望の間隔で配置される。そして、上着部７１は、複数のボタン７１１をはずせば、図１８の紙面上、左右方向に開く。
【０２０２】
衣服７０を身に付ける場合、複数のボタン７１１をはずした状態で、両足を足部材１ａ，１ｂおよび袋部材２ａ，２ｂに挿入し、足部材１ａ，１ｂを腰の部分まで上げる。そして、上着部７１に両手を通し、複数のボタン７１１を掛ける。
【０２０３】
これによって、衣服７０を身に付けることができる。
【０２０４】
上述したように、衣服７０は、一体的に形成された本体部１、袋部材２および上着部７１を備えるので、衣服７０を身に付けることによって、両手および胴体部から足のつま先までを覆うことができる。
【０２０５】
その結果、衣服７０を身に付けて寝ているときに足を動かしても、本体部１が捲れることはなく、足が衣服７０から露出することもない。
【０２０６】
従って、身体を冷やすことなく、就寝できる。
【０２０７】
衣服７０は、図４に示す工程図に従って製造される。この場合、図４に示す工程（ａ），（ｂ）において、一体的になった本体部１、袋部材２および上着部７１の平面形状を有する生地素片が裁断される。
【０２０８】
なお、衣服７０においては、伸縮部材１２が無くてもよい。衣服７０は、上着部７１を備えるので、伸縮部材１２が無くても本体部１が下方に下がることがないからである。
【０２０９】
また、実施の形態６による衣服は、上述した衣服３０，４０，５０，６０のいずれかに上着部７１を追加したものであってもよい。
【０２１０】
更に、実施の形態６による衣服は、上着部７１と本体部１とが一体的に形成されておらず、上述した連結部材６１１ａ，６１１ｂ，６２１ａ，６２１ｂと同じ機構によって上着部７１と本体部１とが連結可能になっていてもよい。
【０２１１】
実施の形態６におけるその他の説明は、実施の形態１から実施の形態５における説明と同じである。
【０２１２】
図１９は、この発明の実施の形態における更に他の袋部材の断面図である。この発明の実施の形態における袋部材は、図１９に示す袋部材８０であってもよい。
【０２１３】
図１９を参照して、袋部材８０は、足裏部８０１と、上面部８０２と、垂直部８０３とを有する。
【０２１４】
足裏部８０１は、人の右足８の足裏に対向して設けられる。上面部８０２は、右足８のつま先から甲を経由して足首までの部分に対応して設けられる。垂直部８０３は、右足８の踵および足首から拗ねまでの部分に対向して設けられる。
【０２１５】
上面部８０２は、右足８のつま先で足裏部８０１に連接される。そして、上面部８０２は、右足８のつま先から甲を経由して足首に到るまでの部分との間に空間が形成されるように配置される。垂直部８０３は、右足８の踵で足裏部８０１に連接されるとともに右足８の足首で上面部８０２に連接される。
【０２１６】
そして、足裏部８０１と垂直部８０３との連接部は、右足８の踵の形状に対応した弧状の断面形状を有する。また、上面部８０２と垂直部８０３との連接部は、右足８の甲と拗ねとの間の形状に対応した形状を有する。
【０２１７】
袋部材８０ａにおいては、右足８のつま先から甲を経由して足首に到るまでの部分と上面部８０２との間に、空間が形成されるので、右足８のつま先から甲を経由して足首に到るまでの部分に向かって伸びた羽毛を上面部８０２の内側に設けることによって、右足８を更に保温できる。
【０２１８】
右足８用に袋部材８０ａが用いられる場合、袋部材８０ａと同じ構造からなる袋部材８０ｂが左足用に用いられる。
【０２１９】
袋部材８０についてのその他の説明は、袋部材２についての説明と同じである。
【０２２０】
袋部材８０が上述した衣服１０，３０，５０，６０，７０のいずれかに用いられる場合、本体部１，３１，５１，６１と袋部材８０との連接部は、足の踝と膝との間に配置され、袋部材８０の上面部８０２は、足のつま先から甲を経由して足首に到るまでの部分との間に空間を有するので、袋部材８０は、足の踵から土踏まずを経由してつま先に到るまでの部分に対向した断面形状と、足の甲と拗ねとの間の断面形状と同一または相似な断面形状とを少なくとも有していればよい。
【０２２１】
そして、袋部材８０は、好ましくは、上述した断面形状に加えて、図３に示す足の裏の平面図と同一または相似な平面形状を有する。
【０２２２】
上述した衣服１０，３０，５０，７０の各々は、袋部材２に代えて袋部材８０を備えていてもよく、衣服４０は、袋部材４に代えて袋部材８０を備えていてもよく、衣服６０は、袋部材６２に代えて袋部材８０を備えていてもよい。
【０２２３】
図２０は、この発明の実施の形態における一般的な袋部材の断面図である。この発明の実施の形態による衣類は、好ましくは、図２０に示す袋部材９０を備える。なお、図２０においては、右足８用の袋部材を例にして一般的な袋部材について説明する。
【０２２４】
図２０を参照して、袋部材９０は、人の右足８の甲と拗ねとの間の断面形状と同一または相似な断面形状を有する部分９０１と、右足８の踵の断面形状と同一または相似な断面形状を有する部分９０２とを備える。そして、袋部材９０は、部分９０１，９０２以外の点線部９０３，９０４においては、右足８の断面形状と異なる断面形状を有していてもよい。
【０２２５】
袋部材９０が２つの部分９０１，９０２を有していれば、部分９０１，９０２よりもつま先側の点線部９０３が右足８０の踵よりもつま先側の部分の周囲に配置され易くなり、袋部材９０を身に付けた状態で容易に歩行できるとともに右足８を保温できるからである。
【０２２６】
従って、袋部材９０は、足の甲と拗ねとの間の断面形状および足の踵の断面形状と同一または相似な断面形状を少なくとも有する。
【０２２７】
そして、袋部材９０において、図２０に示すＡ方向から見た平面形状は、好ましくは、図３に示すように足の平面形状と同一または相似な平面形状である。
【０２２８】
上述した袋部材２（２ａ，２ｂ），４（４ａ，４ｂ），６２（６２ａ，６２ｂ）の各々も、袋部材９０の部分９０１，９０２を有する。
【０２２９】
従って、この発明の実施の形態における袋部材は、足の甲と拗ねとの間の断面形状および足の踵の断面形状と同一または相似な断面形状を少なくとも有していればよい。
【０２３０】
上記においては、各種の衣服について説明した。従って、この発明の実施の形態による衣服は、足の甲と拗ねとの間の断面形状および足の踵の断面形状と同一または相似な断面形状を少なくとも有し、足の踝からつま先までの部分を少なくとも覆う袋部材と、袋部材に連接され、袋部材との連接部に対応する足の部分から腰までを覆う本体部とを備えていればよい。
【０２３１】
本体部は、袋部材と連接されており、袋部材は、足の甲と拗ねとの間の断面形状および足の踵の断面形状と同一または相似な断面形状を少なくとも有するので、衣服を身に付けて寝ているときに足を動かしても本体部が捲れ上がらず、足が衣服から露出することもなく、衣服を着て寝ているときに布団から出て歩行する際、足の冷えを抑制できるとともに容易に歩行できるからである。
【０２３２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２３３】
この発明は、衣服に適用される。
【符号の説明】
【０２３４】
１，３１，５１，６１  本体部、１ａ，１ｂ，３１ａ，３１ｂ，５１ａ，５１ｂ，６１ａ，６１ｂ  足部材、２，２ａ，２ｂ，４，４ａ，４ｂ，６２，６２ａ，６２ｂ，８０，９０  袋部材、１０，３０，４０，５０，６０，７０  衣服、１１，１１ａ，１１ｂ  連接部、１２  伸縮部材、２１，８０１  足裏部、２２，８０２  上面部、２３，８０３  垂直部、２４，２５  形状部材、４１，４１ａ，４１ｂ  滑り止め部材、７１  上着部、１０１〜１０３  生地素片、３１１ａ，３１１ｂ  調整部、３１１−１，３１１−２  輪部材、３１１−３  生地、４１１ａ  直線部材、４１１ｃ  線部材、４１１ｄ  円形部材、５１１ａ  突起部材、６１１ａ，６１１ｂ，６２１ａ，６２１ｂ  連結部材、７１１  ボタン。
【図１】
2018119237.tif 000003
【図２】
2018119237.tif 000004
【図３】
2018119237.tif 000005
【図４】
2018119237.tif 000006
【図５】
2018119237.tif 000007
【図６】
2018119237.tif 000008
【図７】
2018119237.tif 000009
【図８】
2018119237.tif 000010
【図９】
2018119237.tif 000011
【図１０】
2018119237.tif 000012
【図１１】
2018119237.tif 000013
【図１２】
2018119237.tif 000014
【図１３】
2018119237.tif 000015
【図１４】
2018119237.tif 000016
【図１５】
2018119237.tif 000017
【図１６】
2018119237.tif 000018
【図１７】
2018119237.tif 000019
【図１８】
2018119237.tif 000020
【図１９】
2018119237.tif 000021
【図２０】
2018119237.tif 000022
【図２１】
2018119237.tif 000023
【図２２】
2018119237.tif 000024
【図２３】
2018119237.tif 000025